(57)【要約】【課題】  パラレル、シリーズ、バイアンプの接続切り替えに手間が掛からないようにする。【解決手段】  端子台2Aに固定された第１入力端子IN1(+)とIN1(-)、第２入力端子IN2(+)とIN2(-)の内、IN1(+)、IN1(-)が接続ラインL1、L2を介して第１ボイスコイルVC1 と接続され、IN2(+)とIN2(-)が接続ラインL3、L4を介して第２ボイスコイルVC2 と接続されている。第１乃至第３ポジションに切り替え自在で第１乃至第３スイッチ回路66〜68を有する３回路のスライドスイッチ40が設けてあり、第１スイッチ回路66は第１ポジションでIN1(+)とIN2(+)を導通し、第２、第３ポジションで非導通とし、第２スイッチ回路67は第１ポジションでIN1(-)とIN2(-)間を導通し、第２、第３ポジションで非導通とし、第３スイッチ回路68は第３ポジションでIN1(-)とIN2(+)間を導通し、第１、第２ポジションで非導通とする。【選択図】        図４
2009010856.tif 000002
【特許請求の範囲】
【請求項１】
第１接続ラインと第２接続ラインを介して第１ボイスコイルと接続されたプラス側第１入力端子及びマイナス側第１入力端子と、第３接続ラインと第４接続ラインを介して第２ボイスコイルと接続されたプラス側第２入力端子及びマイナス側第２入力端子と、を備えたダブルコイルスピーカにおいて、
互いに連動して３つの第１乃至第３ポジションに切り替え自在な第１乃至第３スイッチ回路を有し、第１スイッチ回路は第１ポジションでプラス側第１入力端子とプラス側第２入力端子間を導通し、第２、第３ポジションで非導通とし、第２スイッチ回路は第１ポジションでマイナス側第１入力端子とマイナス側第２入力端子間を導通し、第２、第３ポジションで非導通とし、第３スイッチ回路は第３ポジションでマイナス側第１入力端子とプラス側第２入力端子間を導通し、第１、第２ポジションで非導通とする３回路スライドスイッチを備えたこと、
を特徴とするダブルコイルスピーカ。
【請求項２】
少なくとも第１接続ラインと第２接続ラインのいずれか一方と第３接続ラインと第４接続ラインのいずれか一方にヒューズを介挿したこと、
を特徴とする請求項１記載のダブルコイルスピーカ。
【発明の詳細な説明】
【技術分野】
【０００１】
本発明はダブルコイルスピーカに係り、とくに２つのボイスコイルとアンプとの接続方式をシリーズ、パラレル、バイアンプの３通りに切り替え可能なダブルコイルスピーカに関する。
【背景技術】
【０００２】
サブウーファなどのスピーカには小型で大出力を可能とするためボイスコイルを２組備えたダブルコイル式がある。このダブルコイルスピーカとアンプとの接続方式には、１台のアンプに２つのボイスコイルを直列に接続するシリーズ接続、１台のアンプに２つのボイスコイルを並列に接続するパラレル接続、２台のアンプを１台ずつ各ボイスコイルに接続するバイアンプ接続の３通りがある。
図１に従来のダブルコイルスピーカの回路図を示す。１はスピーカユニット、２はスピーカユニットのフレーム（図示せず）に装着された端子台、３は端子台に内蔵されたプリント配線板、ＶＣ１、ＶＣ２は第１、第２ボイスコイルである。ＩＮ１（＋）、ＩＮ１（−）、ＩＮ２（＋）、ＩＮ２（−）は各々端子台２に並べて固定されたプラス側第１入力端子、マイナス側第１入力端子、プラス側第２入力端子、マイナス側第２入力端子であり、下部にプリント配線板３が取り付けられている。ＶＣ１（＋）とＶＣ１（−）はプリント配線板３に固定されたプラス側第１ボイスコイル端子とマイナス側第１ボイスコイル端子であり、綿糸線ＦＬ１１、ＦＬ１２を介して第１ボイスコイルＶＣ１と接続されている。ＶＣ２（＋）とＶＣ２（−）はプリント配線板３に固定されたプラス側第２ボイスコイル端子とマイナス側第２ボイスコイル端子であり、綿糸線ＦＬ２１、ＦＬ２２を介して第２ボイスコイルＶＣ２と接続されている。４はプリント配線板３に取り付けられたヒューズホルダであり、端子台２の外側から４つの第１乃至第４ヒューズ１１乃至１４を着脱自在に差し込むことができる。ヒューズホルダ４は４対の第１乃至第４ヒューズ用端子ＨＴ１１とＨＴ１２、ＨＴ２１とＨＴ２２、ＨＴ３１とＨＴ３２、ＨＴ４１とＨＴ４２を備えており、ＨＴ１１とＨＴ１２の間、ＨＴ２１とＨＴ２２の間、ＨＴ３１とＨＴ３２の間、ＨＴ４１とＨＴ４２の間に各々第１乃至第４ヒューズ１１乃至１４を着脱可能になっている。プラス側第１入力端子ＩＮ１（＋）はプラス側第１ボイスコイル端子ＶＣ１（＋）と第２ヒューズ用端子ＨＴ２２に接続されており、マイナス側第１入力端子ＩＮ１（−）は第１ヒューズ用端子ＨＴ１１と接続されており、第１ヒューズ用端子ＨＴ１２はマイナス側第１ボイスコイル端子ＶＣ１（−）と第３ヒューズ用端子ＨＴ３２に接続されている。第３ヒューズ用端子ＨＴ３１は第２ヒューズ用端子ＨＴ２１と第４ヒューズ用端子ＨＴ４２に接続されている。プラス側第２入力端子ＩＮ２（＋）は第４ヒューズ用端子ＨＴ４１と接続されており、第４ヒューズ用端子ＨＴ４２はプラス側第２ボイスコイル端子ＶＣ２（＋）と接続されており、マイナス側第２入力端子ＩＮ２（−）はマイナス側第２ボイスコイル端子ＶＣ２（−）と接続されている。
【０００３】
端子台２にはヒューズホルダ３の上をスライドしてパラレル、バイアンプ、シリーズの３つのポジションに移動し、接続方式別にヒューズを差す場所を開けるノブ５が設けられている（図２参照）。例えば、パラレル接続する場合、図２（１）に示す如く１台のアンプ２０のプラス側スピーカ出力端子ＳＰ（＋）、マイナス側スピーカ出力端子ＳＰ（−）をスピーカ接続コード２１を用いてプラス側第１入力端子ＩＮ１（＋）、マイナス側第２入力端子ＩＮ２（−）と接続し、ショートコード２２を用いてマイナス側第１入力端子ＩＮ１（−）をマイナス側第２入力端子ＩＮ２（−）と接続し、ノブ５を一番上のパラレルポジション（ＰＡＲＡＬＬＥＬ）に移動し、差し込み可能になった第３、第４ヒューズ１３、１４を装着する（第１、第２ヒューズ１１、１２はノブ５に邪魔されて差込不能）。これにより、アンプ２０に対し第１、第２ボイスコイルＶＣ１、ＶＣ２がパラレル接続される。シリーズ接続に替える場合、図２（２）に示す如くショートコード２２と第３、第４ヒューズ１３、１４を外し、ノブ５を一番下のシリーズポジション（ＳＥＬＩＥＳ）に移動し、差し込み可能になった第１、第２ヒューズ１１、１２を装着する（第３、第４ヒューズ１３、１４はノブ５により差込不能）。これにより、アンプ２０に対し第１、第２ボイスコイルＶＣ１、ＶＣ２がシリーズ接続される。更に、バイアンプ接続に替える場合、図３に示す如く第１アンプ２３のプラス側スピーカ出力端子ＳＰ１（＋）、マイナス側スピーカ出力端子ＳＰ１（−）をスピーカ接続コード２４を用いてプラス側第１入力端子ＩＮ１（＋）、マイナス側第１入力端子ＩＮ１（−）と接続し、第２アンプ２５のプラス側スピーカ出力端子ＳＰ２（＋）、マイナス側スピーカ出力端子ＳＰ２（−）をスピーカ接続コード２６を用いてプラス側第２入力端子ＩＮ２（＋）、マイナス側第２入力端子ＩＮ２（−）と接続し、第２ヒューズ１２を外し、ノブ５を真中のバイアンプポジション（ＢＩ−ＡＭＰ）に移動し、差し込み可能になった第４ヒューズ１４を装着する（第２、第３ヒューズ１２、１３はノブ５により差込不能）。これにより、２つの第１、第２アンプ２３、２５が第１、第２ボイスコイルＶＣ１、ＶＣ２に個別に接続される。
【０００４】
上記した従来の構成では、接続方式を切り替える際、ショートコード２２の着脱、ノブ５の移動、第１乃至第４ヒューズ１１乃至１４の抜き差しをしなければならず、手間が掛かっていた。また、シリーズ接続時とバイアンプ接続時に、不要となったショートコード２２の保管が面倒であった。なお、特開２００６−２７９５３７号公報の音声出力装置は複数の切り換えスイッチにより複数のアンプと複数のスピーカの接続切り換えを可能とするものに過ぎず、ダブルコイルスピーカとアンプとの接続方式の切り替えは出来ない（特許文献１）。
【０００５】
【特許文献１】特開２００６−２７９５３７号公報
【発明の開示】
【発明が解決しようとする課題】
【０００６】
本発明は上記した従来技術の問題に鑑み、パラレル、シリーズ、バイアンプの接続切り替えに手間が掛からないダブルコイルスピーカを提供することを、その目的とする。
【課題を解決するための手段】
【０００７】
本発明では、第１接続ラインと第２接続ラインを介して第１ボイスコイルと接続されたプラス側第１入力端子及びマイナス側第１入力端子と、第３接続ラインと第４接続ラインを介して第２ボイスコイルと接続されたプラス側第２入力端子及びマイナス側第２入力端子と、を備えたダブルコイルスピーカにおいて、互いに連動して３つの第１乃至第３ポジションに切り替え自在な第１乃至第３スイッチ回路を有し、第１スイッチ回路は第１ポジションでプラス側第１入力端子とプラス側第２入力端子間を導通し、第２、第３ポジションで非導通とし、第２スイッチ回路は第１ポジションでマイナス側第１入力端子とマイナス側第２入力端子間を導通し、第２、第３ポジションで非導通とし、第３スイッチ回路は第３ポジションでマイナス側第１入力端子とプラス側第２入力端子間を導通し、第１、第２ポジションで非導通とする３回路スライドスイッチを備えたこと、を特徴としている。
少なくとも第１接続ラインと第２接続ラインのいずれか一方と第３接続ラインと第４接続ラインのいずれか一方にヒューズを介挿しても良い。
【発明の効果】
【０００８】
本発明によれば、単に３回路スライドスイッチのポジジョンを換えるだけで、簡単にパラレル、シリーズ、バイアンプの接続切り替えが可能となる。
【発明を実施するための最良の形態】
【０００９】
ダブルコイルスピーカユニットの端子台にプラス側第１入力端子、マイナス側第１入力端子、プラス側第２入力端子、マイナス側第２入力端子を固定し、端子台に内蔵されたプリント配線板にプラス側第１ボイスコイル端子、マイナス側第１ボイスコイル端子、プラス側第２ボイスコイル端子、マイナス側第２ボイスコイル端子を固定する。プラス側第１ボイスコイル端子とマイナス側第１ボイスコイル端子は綿糸線を介して第１ボイスコイルと接続し、プラス側第２ボイスコイル端子とマイナス側第２ボイスコイル端子は綿糸線を介して第２ボイスコイルと接続する。プリント配線板にヒューズホルダと３回路３ポジションのスライドスイッチを装着する。プラス側第１入力端子は第１接続ラインを介してプラス側第１ボイスコイル端子と接続し、マイナス側第１入力端子は間に第１ヒューズが介挿された第２接続ラインを介してマイナス側第１ボイスコイル端子と接続し、プラス側第２入力端子は間に第２ヒューズが介挿された第３接続ラインを介してプラス側第２ボイスコイル端子と接続し、第３接続ラインを介してプラス側第１ボイスコイル端子と接続し、マイナス側第２入力端子は第４接続ラインを介してマイナス側第２ボイスコイル端子と接続する。スライドスイッチはノブの移動によりパラレル、シリーズ、バイアンプの３つのポジションに切り替え可能であり、第１、第２スイッチ回路はパラレルポジションで導通し、シリーズとバイアンプポジションで非導通となる一対の第１、第２固定接点を含み、第２スイッチ回路はパラレルポジションで導通し、シリーズとバイアンプポジションで非導通となる一対の第３、第４固定接点を含み、第３スイッチ回路はシリーズポジションで導通し、パラレル、バイアンプポジションで非導通となる一対の第５、第６固定接点を含む。第１スイッチ回路の第１、第２固定接点の一方をプラス側第１入力端子と接続し、他方をプラス側第２入力端子と接続し、第２スイッチ回路の第３、第４固定接点の一方をマイナス側第１入力端子と接続し、他方をマイナス側第２入力端子と接続し、第３スイッチ回路の第５、第６固定接点の一方をマイナス側第１入力端子と接続し、他方をプラス側第２入力端子と接続する。パラレル接続（シリーズ）接続する場合、１台のアンプのプラス側スピーカ出力端子とマイナス側スピーカ出力端子をスピーカ接続コードを用いてプラス側第１入力端子とマイナス側第２入力端子に接続し、スライドスイッチをパラレルポジション（シリーズポジション）に移動する。バイアンプ接続する場合、第１アンプのプラス側スピーカ出力端子とマイナス側スピーカ出力端子をスピーカ接続コードを用いてプラス側第１入力端子とマイナス側第１入力端子に接続し、第２アンプのプラス側スピーカ出力端子とマイナス側スピーカ出力端子をスピーカ接続コードを用いてプラス側第２入力端子とマイナス側第２入力端子に接続し、スライドスイッチをバイアンプポジションに移動する。
【実施例１】
【００１０】
次に、図４を参照して本発明の実施例を説明する。図４は本発明に係るダブルコイルスピーカのスピーカユニットの回路図であり、図１と同一の構成部分には同一の符号が付してある。
図４において、２Ａは端子台であり、図５に示す如くスピーカユニット１Ａのフレーム６に取付ネジ７により取り付けられている。端子台２Ａにはプラス側第１入力端子ＩＮ１（＋）、マイナス側第１入力端子ＩＮ１（−）、プラス側第２入力端子ＩＮ２（＋）、マイナス側第２入力端子ＩＮ２（＋）が固定されており、端子台２Ａの内側にプリント配線板３Ａが内蔵されている。プリント配線板３Ａはプラス側第１入力端子ＩＮ１（＋）、マイナス側第１入力端子ＩＮ１（−）、プラス側第２入力端子ＩＮ２（＋）、マイナス側第２入力端子ＩＮ２（＋）の下部に固定されている（図６、図７参照）。プリント配線板３Ａにはプラス側第１ボイスコイル端子ＶＣ１（＋）、マイナス側第１ボイスコイル端子ＶＣ１（−）、プラス側第２ボイスコイル端子ＶＣ２（＋）、マイナス側第２ボイスコイル端子ＶＣ２（−）が固定されている。プラス側第１ボイスコイル端子ＶＣ１（＋）とマイナス側第１ボイスコイル端子ＶＣ１（−）は綿糸線ＦＬ１１、ＦＬ１２を介して第１ボイスコイルＶＣ１と接続されており、プラス側第２ボイスコイル端子ＶＣ２（＋）とマイナス側第２ボイスコイル端子ＶＣ２（−）は綿糸線ＦＬ２１、ＦＬ２２を介して第２ボイスコイルＶＣ２と接続されている（図４、図５、図８、図９参照）。
【００１１】
プリント配線板３Ａにはヒューズホルダ４Ａと３回路３ポジションのスライドスイッチ４０が装着されている（図４、図８、図９参照）。ヒューズホルダ４Ａは２対の第１、第２ヒューズ用端子ＨＴ１１とＨＴ１２、ＨＴ２１とＨＴ２２を有するとともに端子台２Ａの開口８を通して外部に露出しており、外側から第１、第２ヒューズ１１、１２を着脱自在に差し込むことができる（図６参照）。プリント配線板３Ａのプラス側第１入力端子ＩＮ１（＋）は第１接続ラインＬ１を介してプラス側第１ボイスコイル端子ＶＣ１（＋）と接続されており、マイナス側第１入力端子ＩＮ１（−）は途中に第１ヒューズ１１が介挿された第２接続ラインＬ２を介してマイナス側第１ボイスコイル端子ＶＣ１（−）と接続されている。また、プリント配線板３Ａのプラス側第２入力端子ＩＮ２（＋）は途中に第２ヒューズ１２が介挿された第３接続ラインＬ３を介してプラス側第２ボイスコイル端子ＶＣ２（＋）と接続されており、マイナス側第２入力端子ＩＮ２（−）第４接続ラインＬ４を介してマイナス側第２ボイスコイル端子ＶＣ２（−）と接続されている。
【００１２】
図８、図９に示す如くスライドスイッチ４０の内、４１は山形のノブであり、底部４２から左右対象に３本づつアーム４３乃至４５、４６乃至４８が突設されている。４９は枠状の外側ガイドであり、左右の方形の切除部５０、５１に各々アーム４３乃至４５、４６乃至４８が前後にスライド自在に載置されている。５２、５３は板状の内側ガイドであり、ノブ４１の底部４２の両端部が前後にスライド自在に載置されている。アーム４３乃至４５の内側端面が内側ガイド５２の外側面に当接するとともにアーム４６乃至４８の内側端面が内側ガイド５３の外側面に当接し、これによりノブ４１の左右の移動が拘束されている。スライドスイッチ４０のノブ４１は端子台２Ａの開口９から外部に突出してユーザが指でスライド操作可能になっている。アーム４３乃至４５、４６乃至４８の上面は開口縁部１０に当接しており、これにより、ノブ４１が外部に外れないようになっている。ノブ４１は一番上のパラレル（ＰＡＲＡＬＬＥＬ）、中央のバイアンプ（ＢＩ−ＡＭＰ）、一番下のシリーズ（ＳＥＲＩＥＳ）の３つのポジションにスライド自在になっている（図６参照）。プリント配線板３Ａの外側ガイド４９の４隅の外側の内、図８、図９の上側には左右一対ずつのメス形固定端子５４Ａと５４Ｂ、５５Ａと５５Ｂが固定されており、図８、図９の下側には左右にメス形固定端子５６と５７が固定されている。一方、図８、図９の上側の左側のアーム４３にはメス形固定端子５４Ａと５４Ｂに対向して互いに導通したオス形端子５８Ａ、５８Ｂがインサート成形されており、図８、図９の上側の右側のアーム４６にはメス形固定端子５５Ａと５５Ｂに対向して互いに導通したオス形端子５９Ａ、５９Ｂがインサート成形されている。また、図８、図９の下側の左右一対のアーム４５と４８にはメス形固定端子５６と５７に対向して互いに導通したオス形端子６０と６１がインサート成形されている。真中の左右一対のアーム４４と４７には下向にインサート成形されたオス形端子６２と６３が突設されており、プリント配線板３Ａの外側ガイド４９の両側に固定されたメス形固定端子６４と６５に嵌脱自在になっている。
【００１３】
ノブ４１が一番上のパラレルポジションにあるときオス形端子５８Ａと５８Ｂが各々メス形固定端子５４Ａと５４Ｂに嵌合し、オス形端子５９Ａと５９Ｂが各々メス形固定端子５５Ａと５５Ｂに嵌合する（この際、オス形端子６０、６１は各々メス形固定端子５６、５７から離脱し、オス形端子６２、６３は各々メス形固定端子６４、６５から離脱する）。反対にノブ４１が一番下のシリーズポジションにあるときオス形端子６０、６１が各々メス形固定端子５６、５７に嵌合する（この際、オス形端子５８Ａと５８Ｂは各々メス形固定端子５４Ａと５４Ｂから離脱し、オス形端子５９Ａと５９Ｂは各々メス形固定端子５５Ａと５５Ｂから離脱し、オス形端子６２、６３は各々メス形固定端子６４、６５から離脱する）。ノブ４１が中央のバイアンプポジションにあるときオス形端子５８Ａと５８Ｂは各々メス形固定端子５４Ａと５４Ｂから離脱し、オス形端子５９Ａと５９Ｂは各々メス形固定端子５５Ａと５５Ｂから離脱し、オス形端子６０、６１は各々メス形固定端子５６、５７から離脱する（この際、オス形端子６２、６３は各々メス形固定端子６３、６４に嵌合する）。図４に示す如く、スライドスイッチ４０の第１スイッチ回路６６は各々メス形固定端子５４Ａ、５４Ｂから成る第１、第２固定接点Ｘ１、Ｘ２と、３つのポジションに移動し互いに導通したオス形端子５８Ａ、５８Ｂから成る可動接点Ｘからなり、第２スイッチ回路６７は各々メス形固定端子５５Ａ、５５Ｂから成る第３、第４固定接点Ｙ３、Ｙ４と、３つのポジションに移動し互いに導通したオス形端子５９Ａ、５９Ｂから成る可動接点Ｙからなり、第３スイッチ回路６８は各々メス形固定端子５６、５７から成る第５、第６固定接点Ｚ５、Ｚ６と、３つのポジションに移動し互いに導通したオス形端子６０と６１から成る可動接点Ｚからなる。端子台２Ａの表面には、ノブ４１の３つのスライドポジションを示す「ＰＡＲＡＬＬＥＬ」、「ＢＩ−ＡＭＰ」、「ＳＥＲＩＥＳ」の文字が表示されている（図６参照）。
【００１４】
次に、図１０、図１１を参照して上記した実施例の作用を説明する。パラレル、シリーズ、バイアンプの接続方式に拘わらず予め、第１ヒューズ用端子ＨＴ１１とＨＴ１２の間に第１ヒューズ１１、第２ヒューズ用端子ＨＴ２１とＨＴ２２の間に第２ヒューズ１２を差し込んでおく。
（１）パラレル接続（図１０（１）参照）
パラレル接続する場合、１台のアンプ２０のプラス側スピーカ出力端子ＳＰ（＋）とマイナス側スピーカ出力端子ＳＰ（−）をスピーカ接続コード２１を用いて端子台２Ａのプラス側第１入力端子ＩＮ１（＋）とマイナス側第２入力端子ＩＮ２（−）に接続し、ノブ４１をパラレルポジション（Ｐ）に移動する。すると、第１スイッチ回路６６の可動接点Ｘが第１固定接点Ｘ１と第２固定接点Ｘ２に接触して導通状態となり、第２スイッチ回路６７の可動接点Ｙが第３固定接点Ｙ３と第４固定接点Ｙ４に接触して導通状態となり、第３スイッチ回路６８の可動接点Ｚが第５固定接点Ｚ５と第６固定接点Ｚ６から離れて開放状態となり、アンプ２０に対し第１、第２ボイスコイルＶＣ１、ＶＣ２がパラレル接続状態となる。この際、第１ボイスコイルＶＣ１に過電流が流れようとすると第１ヒューズ１１が切れて保護され、第２ボイスコイルＶＣ２に過電流が流れようとすると第２ヒューズ１２が切れて保護される。
（２）シリーズ接続（図１０（２）参照）
シリーズ接続に切り替える場合、アンプ２０のプラス側スピーカ出力端子ＳＰ（＋）とマイナス側スピーカ出力端子ＳＰ（−）をスピーカ接続コード２１を用いて端子台２Ａのプラス側第１入力端子ＩＮ１（＋）とマイナス側第２入力端子ＩＮ２（−）に接続したままノブ４１をシリーズポジション（Ｓ）に移動する（図４の状態）。すると、第３スイッチ回路６８の可動接点Ｚが第５固定接点Ｚ５と第６固定接点Ｚ６に接触して導通状態となり、第１スイッチ回路６６の可動接点Ｘが第１固定接点Ｘ１と第２固定接点Ｘ２から離れて開放状態となり、第２スイッチ回路６７の可動接点Ｙが第３固定接点Ｙ３と第４固定接点Ｙ４から離れて開放状態となり、アンプ２０に対し第１、第２ボイスコイルＶＣ１、ＶＣ２がシリーズ接続状態となる。この際、第１ボイスコイルＶＣ１と第２ボイスコイルＶＣ２に過電流が流れようとすると第１ヒューズ１１が切れて保護される。
（３）バイアンプ接続（図１１参照）
バイアンプ接続に切り替える場合、第１アンプ２３のプラス側スピーカ出力端子ＳＰ１（＋）とマイナス側スピーカ出力端子ＳＰ１（−）をスピーカ接続コード２４を用いてプラス側第１入力端子ＩＮ１（＋）とマイナス側第１入力端子ＩＮ１（−）と接続し、第２アンプ２５のプラス側スピーカ出力端子ＳＰ２（＋）とマイナス側スピーカ出力端子ＳＰ２（−）をスピーカ接続コード２６を用いてプラス側第２入力端子ＩＮ２（＋）とマイナス側第２入力端子ＩＮ２（−）と接続し、ノブ４１を真中のパイアンプポジション（Ｂ）に移動する。すると、アーム４４、４７から下方に突出したオス形端子６２、６３が各々メス形端子６４、６５に嵌合し、第１スイッチ回路６６の可動接点Ｘが第１固定接点Ｘ１と第２固定接点Ｘ２から離れて開放状態となり、第２スイッチ回路６７の可動接点Ｙが第３固定接点Ｙ３と第４固定接点Ｙ４から離れて開放状態となり、第３スイッチ回路６８の可動接点Ｚが第５固定接点Ｚ５と第６固定接点Ｚ６から離れて開放状態となり、２台の第１、第２アンプ２３、２５が第１、第２ボイスコイルＶＣ１、ＶＣ２に個別に接続した状態となる。この際、第１ボイスコイルＶＣ１に過電流が流れようとすると第１ヒューズ１１が切れて保護され、第２ボイスコイルＶＣ２に過電流が流れようとすると第２ヒューズ１２が切れて保護される。
【００１５】
この実施例によれば、予め、第１ヒューズ用端子ＨＴ１１とＨＴ１２の間に第１ヒューズ１１、第２ヒューズ用端子ＨＴ２１とＨＴ２２の間に第２ヒューズ１２を差し込んでおき、ノブ４１を回して３回路３ポジションのスライドスイッチ４０のポジションを切り替えることで簡単にパラレル、シリーズ、バイアンプの接続切り替えが可能となり、ヒューズの抜き差し、ショートコードの着脱・保管の手間が省ける。
【００１６】
なお、上記した実施例では、マイナス側第１入力端子ＩＮ１（−）とマイナス側第１ボイスコイル端子ＶＣ１（−）を結ぶ第２接続ラインＬ２の途中に第１ヒューズ１１を介挿するようにしたが、図１２の上部に示す如く、プラス側第１入力端子ＩＮ１（＋）とプラス側第１ボイスコイル端子ＶＣ１（＋）を結ぶ第１接続ラインＬ１の途中に介挿するようにしても良い。更に、プラス側第２入力端子ＩＮ２（＋）とプラス側第２ボイスコイル端子ＶＣ２（＋）を結ぶ第３接続ラインＬ３の途中に第２ヒューズ１２を介挿するようにしたが、図１２の下部に示す如く、マイナス側第２入力端子ＩＮ２（−）とマイナス側第２ボイスコイル端子ＶＣ２（−）を結ぶ第４接続ラインＬ４の途中に介挿するようにしても良い。
【産業上の利用可能性】
【００１７】
本発明は、ウーファ、サブウーファなどのスピーカユニット、筐体付スピーカなどの各種のダブルコイルスピーカに適用できる。
【図面の簡単な説明】
【００１８】
【図１】従来のダブルコイルスピーカの回路図である。
【図２】従来のパラレル、シリーズの接続切り替え方法の説明図である。
【図３】従来のバイアンプの接続切り替え方法の説明図である。
【図４】本発明に係るダブルコイルスピーカの回路図である（実施例１）。
【図５】図４のスピーカユニットの平面図である。
【図６】図５中の端子台の正面図である。
【図７】図６の側面図である。
【図８】図７中のプリント配線板の一部省略した外観斜視図である。
【図９】図８の平面図である。
【図１０】パラレル、シリーズの接続切り替え方法の説明図である。
【図１１】バイアンプの接続切り替え方法の説明図である。
【図１２】図４の変形例の説明図である。
【符号の説明】
【００１９】
１Ａ  スピーカユニット
２Ａ  端子台
３Ａ  プリント配線板
４Ａ  ヒューズホルダ
１１  第１ヒューズ
１２  第２ヒューズ
４０  スライドスイッチ
４１  ノブ
６６  第１スイッチ回路
６７  第２スイッチ回路
６８  第３スイッチ回路
ＩＮ１（＋）  プラス側第１入力端子
ＩＮ１（−）  マイナス側第１入力端子
ＩＮ２（＋）  プラス側第２入力端子
ＩＮ２（−）  マイナス側第２入力端子
ＶＣ１（＋）  プラス側第１ボイスコイル端子
ＶＣ１（−）  マイナス側第１ボイスコイル端子
ＶＣ２（＋）  プラス側第２ボイスコイル端子
ＶＣ２（−）  マイナス側第２ボイスコイル端子
ＶＣ１  第１ボイスコイル
ＶＣ２  第２ボイスコイル
【図１】
2009010856.tif 000003
【図２】
2009010856.tif 000004
【図３】
2009010856.tif 000005
【図４】
2009010856.tif 000006
【図５】
2009010856.tif 000007
【図６】
2009010856.tif 000008
【図７】
2009010856.tif 000009
【図８】
2009010856.tif 000010
【図９】
2009010856.tif 000011
【図１０】
2009010856.tif 000012
【図１１】
2009010856.tif 000013
【図１２】
2009010856.tif 000014